(57)【要約】【課題】欲しい泡を確実に吐出させることができること。【解決手段】この発明は、可撓性の容器本体１０１とディスペンサ１とから容器１００を構成する。容器本体１０１は、開口部１０２と、底部１０３と、胴部１０４と、を有する。ディスペンサ１は、取付部２と、混合部３と、供給管４と、吐出部５と、空気取入部６と、空気取入管７と、逆止弁８１、８２と、を有する。この結果、この発明は、欲しい泡を確実に吐出させることができる。【選択図】        図１
2018052527.tif 000002
【特許請求の範囲】
【請求項１】
可撓性の容器本体に取り付けられることによりスクイズ式泡ディスペンサを備えた容器を構成し、前記容器本体をスクイズすることにより、前記容器中の液状内容物と空気とを混合させて前記容器の外部に泡を吐出させるスクイズ式泡ディスペンサにおいて、
前記容器本体の開口部に取り付けられる取付部と、
第１供給口と第２供給口と混合室とを有し、前記第１供給口と前記第２供給口とを通って供給された前記容器中の液状内容物と空気とを前記混合室で混合する混合部と、
一端が前記混合部に取り付けられて前記第１供給口に連通し、かつ、前記取付部が前記容器本体の開口部に取り付けられると他端が前記容器本体の底部側に位置する供給管と、
前記混合室に連通する吐出路を有し、前記混合室で混合された混合物を泡状にして前記吐出路を通って前記容器の外部に吐出させる吐出部と、
空気取入口を有する空気取入部と、
一端が前記空気取入部に取り付けられて前記空気取入口に連通し、かつ、前記取付部が前記容器本体の開口部に取り付けられると他端が前記容器本体の底部側に位置する空気取入管と、
前記空気取入管の他端に取り付けられていて、前記容器本体からスクイズ力を解除した時には開いて前記容器の外部の空気を前記空気取入部および前記空気取入管を通って前記容器中に取り入れ、前記スクイズ力解除時以外の時には閉じている第１逆止弁と、
を備える、
ことを特徴とするスクイズ式泡ディスペンサ。
【請求項２】
前記供給管の他端には、前記容器本体をスクイズした時には開いて前記容器中の空気あるいは液状内容物を前記供給管を通って前記混合室に供給し、前記容器本体のスクイズ時以外の時には閉じている第２逆止弁が、設けられている、
ことを特徴とする請求項１に記載のスクイズ式泡ディスペンサ。
【請求項３】
前記混合室における空気と液状内容物との混合比は、約４：１である、
ことを特徴とする請求項１または２に記載のスクイズ式泡ディスペンサ。
【請求項４】
前記混合部は、第１混合部と第２混合部とからなり、
前記供給管は、前記第１混合部に取り付けられている第１供給管と、前記第２混合部に取り付けられている第２供給管と、からなり、
前記吐出部を、前記吐出路と前記第１混合部の前記混合室とが連通して混合物を泡状にして前記容器の外部に吐出させる第１位置と、前記吐出路と前記第２混合部の前記混合室とが連通して混合物を泡状にして前記容器の外部に吐出させる第２位置と、の間に切替可能に取り付ける取付部を備える、
ことを特徴とする請求項１〜３のいずれか１項に記載のスクイズ式泡ディスペンサ。
【請求項５】
開口部と底部と胴部とを有する可撓性の容器本体と、
前記容器本体の前記開口部に取り付けられている前記の請求項１〜４のいずれか１項に記載のスクイズ式泡ディスペンサと、
を備える、
ことを特徴とするスクイズ式泡ディスペンサを備えた容器
【発明の詳細な説明】
【技術分野】
【０００１】
この発明は、スクイズ式泡ディスペンサ（以下、単に「ディスペンサ」と称する）に関する。また、この発明は、ディスペンサを備えた容器（以下、単に「容器」と称する）に関する。
【背景技術】
【０００２】
シャンプー液やソープ液といった容器内部に貯留されている内容液、収納液と、空気とを混合して泡を吐出、噴出させるディスペンサおよび容器としては、たとえば、特許文献１および特許文献２に示すものがある。特許文献１の従来の泡液兼用ディスペンサーは、倒立状態でスクイズ（手指により圧縮）することにより、第一吐出口から内容液を液状のまま吐出させ、また、第二吐出口から内容液と空気との混合物を泡として吐出させる。特許文献２の従来のスクイズ容器は、正立状態でスクイズすることにより、噴出路から収納液と空気との混合物を泡として噴出させ、倒立状態でスクイズすることにより、噴出口から収納液を液状のまま噴出させる。
【先行技術文献】
【特許文献】
【０００３】
【特許文献１】特許第５０７６０５６号公報
【特許文献２】特許第４７９８６３０号公報
【発明の概要】
【発明が解決しようとする課題】
【０００４】
ところで、特許文献１の従来の泡液兼用ディスペンサーは、吐出物が内容液とするのか、または泡とするのかによって、キャップあるいは切り換えカバーで吐出口を第一吐出口あるいは第二吐出口に切り換える必要がある。したがって、吐出口の切り換えを間違えるとユーザが欲している吐出物と異なる吐出物が吐出される。たとえば、泡が欲しい時に内容液が吐出される場合がある。また、特許文献２の従来のスクイズ容器は、泡を噴出させる時には正立させ、かつ、収納液を噴出させる時には倒立させる必要がある。したがって、正立と倒立とを間違えると欲しい吐出物と異なる吐出物が吐出される。たとえば、泡が欲しい時に収納液が吐出される場合がある。
【０００５】
この発明が解決しようとする課題は、泡を欲している場合に確実に吐出させることができるディスペンサおよび容器を提供することにある。
【課題を解決するための手段】
【０００６】
この発明のディスペンサは、可撓性の容器本体に取り付けられた場合に容器本体をスクイズすることにより、容器中の液状内容物と空気とを混合させて容器の外部に泡を吐出させるスクイズ式泡ディスペンサにおいて、容器本体の開口部に取り付けられる取付部と、第１供給口と第２供給口と混合室とを有し、第１供給口と第２供給口とを通って供給された容器中の液状内容物と空気とを混合室で混合する混合部と、一端が混合部に取り付けられて第１供給口に連通し、かつ、取付部が容器本体の開口部に取り付けられると他端が容器本体の底部側に位置する供給管と、混合室に連通する吐出路を有し、混合室で混合された混合物を泡状にして吐出路を通って容器の外部に吐出させる吐出部と、空気取入口を有する空気取入部と、一端が空気取入部に取り付けられて空気取入口に連通し、かつ、取付部が容器本体の開口部に取り付けられると他端が容器本体の底部側に位置する空気取入管と、空気取入管の他端に取り付けられていて、容器本体からスクイズ力を解除した時には開いて容器の外部の空気を空気取入部および空気取入管を通って容器中に取り入れ、スクイズ力解除時以外の時には閉じている第１逆止弁と、を備える、ことを特徴とする。
【０００７】
この発明のディスペンサは、供給管の他端には、容器本体をスクイズした時には開いて容器中の空気あるいは液状内容物を供給管を通って混合室に供給し、容器本体のスクイズ時以外の時には閉じている第２逆止弁が、設けられている、ことが好ましい。
【０００８】
この発明のディスペンサは、混合室における空気と液状内容物との混合比が、約４：１である、ことが好ましい。
【０００９】
この発明のディスペンサは、混合部が、第１混合部と第２混合部とからなり、供給管が、第１混合部に取り付けられている第１供給管と、第２混合部に取り付けられている第２供給管と、からなり、吐出部を、吐出路と第１混合部の混合室とが連通して混合物を泡状にして容器の外部に吐出させる第１位置と、吐出路と第２混合部の混合室とが連通して混合物を泡状にして容器の外部に吐出させる第２位置と、の間に切替可能に取り付ける取付部を備える、ことが好ましい。
【００１０】
この発明の容器は、開口部と底部と胴部とを有する可撓性の容器本体と、容器本体の開口部に取り付けられている前記の各この発明のディスペンサと、を備える、ことを特徴とする。
【発明の効果】
【００１１】
この発明のディスペンサおよび容器は、泡を欲している場合に確実に吐出させることができる。
【図面の簡単な説明】
【００１２】
【図１】図１は、この発明にかかるディスペンサおよび容器の実施形態１を示す正立状態の縦断面図（垂直断面図）である。
【図２】図２は、倒立状態で泡を吐出させている状態を示す説明縦断面図（説明垂直断面図）である。
【図３】図３は、ディスペンサと容器の分解状態を示す説明縦断面図（説明垂直断面図）である。
【図４】図４は、要部を示す拡大縦断面図（拡大垂直断面図）である。
【図５】図５は、この発明にかかるディスペンサおよび容器の実施形態２を示す正立状態の縦断面図（垂直断面図）である。
【図６】図６は、正立状態で泡を吐出させている状態を示す説明縦断面図（説明垂直断面図）である。
【図７】図７は、倒立状態を示す縦断面図（垂直断面図）である。
【図８】図８は、倒立状態で泡を吐出させている状態を示す説明縦断面図（説明垂直断面図）である。
【図９】図９は、この発明にかかるディスペンサおよび容器の実施形態３を示す正立状態の縦断面図（垂直断面図）である。
【図１０】図１０は、正立状態で泡を吐出させている状態を示す容器本体の開口部側の説明拡大縦断面図（説明拡大垂直断面図）である。
【図１１】図１１は、倒立状態を示す縦断面図（垂直断面図）である。
【図１２】図１２は、倒立状態で泡を吐出させている状態を示す容器本体の開口部側の説明拡大縦断面図（説明拡大垂直断面図）である。
【図１３】図１３は、容器本体の底部側を示す説明拡大縦断面図（説明拡大垂直断面図）である。
【発明を実施するための形態】
【００１３】
以下、この発明にかかるディスペンサおよび容器の実施形態（実施例）の３例を図面に基づいて詳細に説明する。なお、図１〜図３、図５〜図９、図１１において、ハッチングの図示は、省略する。また、図１０、図１２において、泡の符号「１０８」を図示するが、具体的な泡の図示を省略する。
【００１４】
（実施形態１の構成の説明）
図１〜図４は、この発明にかかるディスペンサおよび容器の実施形態１を示す。以下、この実施形態１にかかるディスペンサ（スクイズ式泡ディスペンサ）１および容器（スクイズ式泡ディスペンサ１を備えた容器）１００の構成について説明する。
【００１５】
容器１００は、可撓性を有する樹脂部材から構成される容器本体１０１と、容器本体１０１の開口部１０２に着脱可能に取り付けられるディスペンサ１と、を備える。すなわち、容器１００は、容器本体１０１とディスペンサ１とから構成される。容器本体１０１は、円形の開口を有する一端の開口部１０２と、他端の底部１０３と、中間部の胴部１０４と、を有する中空状の筒形状をなす。すなわち、容器本体１０１は、円柱、楕円形、四角柱、三角柱などの任意の形状中空状の筒形状をなすものである。容器本体１０１は、胴部１０４を図２中の白抜き矢印に示すように適宜な力でスクイズする（押す）と弾性変形し、かつ、胴部１０４からスクイズ力（押し力）を解除すると元の形状に弾性復帰する。
【００１６】
容器本体１０１中には、液状内容物１０５が収容され、開口部１０２の円形の開口端面には、液状内容物１０５が開口部１０２の開口から零れないようにシール１０６（図３参照）が剥離可能に接着される。シール１０６は、容器本体１０１の開口部１０２にディスペンサ１を取り付ける際に、開口部１０２の開口端面から剥がされる。図３に示すように、開口部１０２の外周面には、雄ねじ１０７が設けられる。液状内容物１０５には、界面活性剤が含まれ、空気１０９と液状内容物１０５とは、混合されて発泡して泡１０８となる。ここで、液状内容物１０５の成分によるが、空気１０９と液状内容物１０５との混合比が約４：１であると、発泡性が良く、泡立ちが良い泡１０８が得られる。液状内容物１０５としては、泡シャンプー、泡ハンドソープ、泡ボディソープ、泡食器用洗剤、泡日用品用洗剤、泡車両用洗剤、泡虫よけ剤、泡殺虫剤、子供お遊び用（３Ｄアート用）の泡ハンドソープ、あるいは、希釈液体（なお、希釈倍率は、例えば、３〜５倍であるが、特に限定しない）などである。
【００１７】
ディスペンサ１は、取付部２と、混合部３と、供給管４と、吐出部５と、空気取入部６と、空気取入管７と、第１逆止弁８１および第２逆止弁８２と、を備える。ディスペンサ１は、樹脂部材から構成されるディスペンサ本体１０を有する。ディスペンサ本体１０は、一端部（図１、図３、図４において、下端部）の大径の円筒部と、他端部（図１、図３、図４において、上端部）の小径の円筒部と、中間部の円錐台形の筒部と、から一体に構成される。
【００１８】
ディスペンサ本体１０の大径円筒部の内周面には、取付部２が設けられる。取付部２は、容器本体１０１の開口部１０２の雄ねじ１０７に着脱可能にねじ込まれる雌ねじを有している。ディスペンサ１は、取付部２を介して、容器本体１０１の開口部１０２に着脱可能に取り付けられる。なお、雄ねじ１０７と雌ねじとのねじ止め以外に、嵌合止め（いわるゆ「パッチン止め」）等であっても良い。
【００１９】
ディスペンサ本体１０には、吐出部５が設けられる。吐出部５は、ディスペンサ本体１０の小径円筒部と、その小径円筒部の一端からディスペンサ本体１０の円錐台形筒部および大径円筒部側に向けて一体に突設された円筒部と、から構成される。吐出部５は、小径円筒部中および円筒部中に吐出路５０を有する。吐出部５の円筒部から小径円筒部の途中までの吐出路５０中には、複数この例では３個の発泡部材５１が、複数この例では４個のリング状のホルダ５２により、吐出路５０の軸方向に対して垂直もしくはほぼ垂直に取り付けられる。発泡部材５１は、この例では、メッシュフィルタなどであって、泡１０８の径を調整して、細やかな泡１０８を得ることができる。
【００２０】
ディスペンサ本体１０の円錐台形筒部には、空気取入部６が設けられる。空気取入部６は、ディスペンサ本体１０から一体に突設された円管から構成される。空気取入部６は、円管中に空気取入口６０を有する。
【００２１】
混合部３は、一端部（図１、図３、図４において、上端部）の大径の円筒部と、他端部（図１、図３、図４において、下端部）の小径の円筒部と、から一体に構成される。混合部３の小径円筒部には、第１供給口３１と第２供給口３２と混合室３０とがそれぞれ設けられる。混合室３０は、小径円筒部の中心もしくはほぼ中心に小径円筒部の軸方向に設けられる。第１供給口３１は、混合室３０に小径円筒部の軸方向に連通するように設けられる。第２供給口３２は、混合室３０に小径円筒部の軸方向に対して垂直もしくはほぼ垂直に連通するように設けられる。第２供給口３２は、断面円形をなし、内径がこの例では約０．７ｍｍである。混合部３の大径円筒部は、吐出部５の円筒部に嵌合される。混合部３の混合室３０と吐出部５の吐出路５０とは、連通する。
【００２２】
供給管４の一端は、混合部３の小径円筒部の第１供給口３１中に嵌合して混合部３に取り付けられ、混合部３の第１供給口３１に連通する。供給管４の他端は、取付部２が開口部１０２に取り付けられると、すなわち、ディスペンサ１が容器本体１０１に取り付けられると、容器本体１０１の底部１０３側に位置する。供給管４の内径は、この例では、約４ｍｍである。
【００２３】
空気取入管７の一端は、空気取入部６の外周部に嵌合して取り付けられることで、空気取入部６の空気取入口６０に連通する。取付部２が開口部１０２に取り付けられる（ディスペンサ１が容器本体１０１に取り付けられる）と、空気取入管７の他端は、容器本体１０１の底部１０３側に位置する。
【００２４】
第１逆止弁８１および第２逆止弁８２は、一端の円筒部８１０、８２０と、他端の扁平部８１１、８２１と、から一体に構成される（図１３を参照）。他端扁平部８１１、８２１中には、一端円筒部８１０、８２０中と他端扁平部８１１、８２１の外部とを連通するスリットが設けられる。第１逆止弁８１および第２逆止弁８２は、一端円筒部８１０、８２０から他端扁平部８１１、８２１への流体（液状内容物１０５あるいは空気１０９）の流れを許容し、逆に、他端扁平部８１１、８２１から一端円筒部８１０、８２０への流体の流れを防止する。
【００２５】
第１逆止弁８１の一端円筒部８１０は、空気取入管７の他端に外側から嵌合して取り付けられ、第１逆止弁８１の他端扁平部８１１は、容器本体１０１の底部１０３側に対向する。第１逆止弁８１は、容器本体１０１からスクイズ力を解除した時には開いて容器１００の外部の空気１０９を空気取入部６および空気取入管７を通って容器１００中に取り入れる（図２中の実線矢印を参照）。また、第１逆止弁８１は、スクイズ力解除時以外の時には閉じて、容器１００中の液状内容物１０５あるいは空気１０９が空気取入管７中に入るのを防止する。なお、第１逆止弁８１は、この例では、空気取入管７に直接取り付けるものであるが、ホルダや継管などを介して空気取入管７に取り付けるものであっても良い。
【００２６】
第２逆止弁８２は、供給管４の他端にホルダ８３を介して取り付けられる。第２逆止弁８２の他端扁平部８２１は、供給管４の他端に対向し、第２逆止弁８２の一端円筒部８２０は、ホルダ８３に嵌合して供給管４の他端に対して反対側（容器本体１０１の底部１０３側）に対向する。第２逆止弁８２は、容器本体１０１をスクイズした時には開いて容器１００中の空気１０９あるいは液状内容物１０５を供給管４を通って混合室３０に供給し（図２中の実線矢印を参照）、容器本体１０１のスクイズ時以外の時には閉じて、供給管４中の空気１０９あるいは液状内容物１０５が容器１００中に入るのを防止する。なお、第２逆止弁８２は、この例では、供給管４にホルダ８３を介して取り付けるが、供給管４に直接取り付けても良い。
【００２７】
（実施形態１の作用の説明）
この実施形態１にかかるディスペンサ１および容器１００は、以上のごとき構成からなり、以下、その作用について説明する。
【００２８】
ディスペンサ１を容器本体１０１に取り付ける場合、液状内容物１０５が収容されている容器本体１０１の開口部１０２の開口端面からシール１０６を剥がし、ディスペンサ１の第１逆止弁８１、第２逆止弁８２、供給管４および空気取入管７を容器本体１０１中に開口部１０２の開口から入れる。そして、ディスペンサ１の取付部２の雌ねじを容器本体１０１の開口部１０２の雄ねじ１０７にねじ込んで、ディスペンサ１を容器本体１０１に着脱可能に取り付ける。これにより、容器１００が構成される。
【００２９】
容器１００が図１に示す正立状態の時は、容器１００中の液状内容物１０５が重力により容器本体１０１の底部１０３側に位置し、容器１００中の空気１０９が容器本体１０１の開口部１０２側に位置する。この実施形態１において、使用に際しては、正立状態と倒立状態のいずれでも良いが、容器１００を図２に示す倒立状態とした時は、容器１００中の液状内容物１０５が重力により容器本体１０１の開口部１０２側に位置し、容器１００中の空気１０９が容器本体１０１の底部１０３側に位置する。容器１００の倒立状態において、容器本体１０１の胴部１０４を図２中の白抜き矢印に示すように適宜な力でスクイズする。
【００３０】
すると、容器本体１０１の胴部１０４が図２中の二点鎖線に示す状態から図２中の実線に示す状態に弾性変形する。この胴部１０４の弾性変形による押圧力により、容器本体１０１の内部体積が減少する。そのため、容器本体１０１の底部１０３側に位置する空気１０９が図２中の実線矢印に示すように第２逆止弁８２および供給管４を通って混合部３の混合室３０に供給され、かつ、容器本体１０１の開口部１０２側に位置する液状内容物１０５が図２中の実線矢印に示すように混合部３の第２供給口３２を通って混合部３の混合室３０に供給される。混合室３０に供給された空気１０９と液状内容物１０５とは、混合室３０で混合されて、発泡して泡１０８となる。この泡１０８は、吐出部５の吐出路５０の発泡部材５１を通過して吐出路５０から容器１００の外部に吐出する。
【００３１】
容器本体１０１へのスクイズを止めると、容器本体１０１が図２中の実線に示す状態から図２中の二点鎖線に示す状態に弾性復帰する。すると、容器１００中の空気１０９が位置する部分（空気１０９部屋）が大気に対して負圧となる。このため、容器１００の外部の空気が図２中の実線矢印に示すように空気取入部６、空気取入管７および第１逆止弁８１を通って容器１００中に取り入れられる。このように、続けて容器本体１０１を適宜な力でスクイズすると、吐出部５から泡１０８を吐出させることができる。
【００３２】
また、容器１００中の液状内容物１０５を使い切ったところで、ディスペンサ１を容器本体１０１の開口部１０２から取り外して、容器本体１０１中に新たな液状内容物１０５を入れ、ディスペンサ１を容器本体１０１の開口部１０２に取り付けることにより、ディスペンサ１と容器本体１０１とを再利用することができる。また、液状内容物１０５を収容した新たな容器本体１０１を使用した場合にも、ディスペンサ１を再利用することができる。
【００３３】
また、容器１００の正立状態において、容器本体１０１を適宜な力でスクイズすると、容器本体１０１の底部１０３側に位置する液状内容物１０５が第２逆止弁８２および供給管４を通って混合部３の混合室３０に供給され、かつ、容器本体１０１の開口部１０２側に位置する空気１０９が混合部３の第２供給口３２を通って混合部３の混合室３０に供給される。混合室３０に供給された空気１０９と液状内容物１０５とは、混合室３０で混合されて、発泡して泡１０８となる。この泡１０８は、吐出部５の吐出路５０の発泡部材５１を通過して吐出路５０から容器１００の外部に吐出する。
【００３４】
（実施形態１の効果の説明）
この実施形態１にかかるディスペンサ１および容器１００は、以上のごとき構成および作用からなり、以下、その効果について説明する。
【００３５】
この実施形態１にかかるディスペンサ１および容器１００は、容器本体１０１をスクイズすることにより、吐出部５から泡１０８を吐出させることができる。このため、この実施形態１にかかるディスペンサ１および容器１００は、特許文献１の従来の泡液兼用ディスペンサーのように、キャップあるいは切り換えカバーで吐出口を第一吐出口あるいは第二吐出口に切り換える必要がないので、容器本体１０１をスクイズするだけで、吐出部５から欲しい泡１０８を確実に吐出させることができる。
【００３６】
また、この実施形態１にかかるディスペンサ１および容器１００は、容器１００の倒立状態および正立状態のいずれの状態でも、容器本体１０１をスクイズすることにより、吐出部５から泡１０８を吐出させることができる。このため、この実施形態１にかかるディスペンサ１および容器１００は、特許文献２の従来のスクイズ容器のように、泡を噴出させる時には正立させ、それとは異なり収納液を噴出させる時には倒立させる、といった向きを変える動作を必要としない。すなわち、正立状態および倒立状態のいずれの状態でも、容器本体１０１をスクイズするだけで、吐出部５から欲しい泡１０８を確実に吐出させることができる。
【００３７】
さらに、この実施形態１にかかるディスペンサ１および容器１００は、容器本体１０１の底部１０３側に位置する空気取入管７の他端に第１逆止弁８１を取り付けたので、図２に示す容器１００の倒立状態において、第１逆止弁８１が空気１０９のある上側に位置する。このため、図２に示す容器１００の倒立状態において、容器本体１０１からスクイズ力を解除した時に、第１逆止弁８１が開いて空気取入部６、空気取入管７および第１逆止弁８１を通して外部の空気を容器１００中に取り入れることができる。一方、この外部の空気の取り入れの際には、第１逆止弁８１の存在により、容器本体１０１の開口部１０２側の液状内容物１０５が重力で第１逆止弁８１、空気取入管７および空気取入部６を通して容器１００の外部に漏れるのを防ぐことができる。
【００３８】
すなわち、空気取入管７を介さずに、第１逆止弁８１を空気取入部６に直接取り付けた場合においては、容器１００の倒立状態において、第１逆止弁８１が容器本体１０１の開口部１０２側（液状内容物１０５側であって、図２において下側）に位置するので、容器本体１０１からスクイズ力を解除した時に、第１逆止弁８１が開いて、容器本体１０１の開口部１０２側の液状内容物１０５が重力で第１逆止弁８１および空気取入部６を通して容器１００の外部に漏れる場合がある。これに対して、この実施形態１にかかるディスペンサ１および容器１００は、空気取入管７を介して、第１逆止弁８１を空気取入部６に取り付けたので、液状内容物１０５の漏れを防ぐことができる。
【００３９】
この実施形態１にかかるディスペンサ１および容器１００は、供給管４の他端に第２逆止弁８２を取り付けている。このため、容器本体１０１をスクイズした時には、第２逆止弁８２が開いて、図２に示す倒立状態あるいは図１に示す正立状態の容器１００中の空気１０９あるいは液状内容物１０５を第２逆止弁８２および供給管４を通して混合部３に供給することができる。また、容器本体１０１のスクイズ時以外の時には、図２に示す倒立状態と図１に示す正立状態のいずれの場合でも、第２逆止弁８２が閉じることで、供給管４中の空気１０９あるいは液状内容物１０５が、容器１００中に入るのを防止することができる。これにより、実施形態１のディスペンサ１および容器１００では、容器１００の倒立状態および正立状態において、容器本体１０１をスクイズすることにより、吐出部５から泡１０８を吐出させることができる。
【００４０】
また、実施形態１にかかるディスペンサ１および容器１００は、第２供給口３２の内径が約０．７ｍｍであり、供給管４の内径が約４ｍｍであるから、図２に示す容器１００の倒立状態において、容器本体１０１をスクイズして、空気１０９を供給管４を通して混合室３０に供給し、液状内容物１０５を第２供給口３２を通して混合室３０に供給した際に、混合室３０における空気１０９と液状内容物１０５との混合比が約４：１となる。このため、この実施形態１にかかるディスペンサ１および容器１００は、空気１０９と液状内容物１０５との混合物の発泡性が良く、泡立ちが良い泡１０８が得られる。なお、図１に示す容器１００の正立状態においては、図２に示す容器１００の倒立状態と比較して、混合物の発泡性が若干劣るが、吐出部５から泡１０８を吐出させることができる。
【００４１】
（実施形態２の説明）
図５〜図８は、この発明にかかるディスペンサおよび容器の実施形態２を示す。以下、この実施形態２にかかるディスペンサ１Ａおよび容器１００Ａについて説明する。図中、図１〜図４と同符号は、同一のものを示す。
【００４２】
前記の実施形態１にかかるディスペンサ１および容器１００は、供給管４の他端にホルダ８３を介して第２逆止弁８２を取り付けている。これに対して、この実施形態２にかかるディスペンサ１Ａおよび容器１００Ａでは、供給管４の他端に第２逆止弁８２が取り付けられておらず、供給管４の他端が容器本体１０１の底部１０３側に対向している。この実施形態２にかかるディスペンサ１Ａおよび容器１００Ａは、以上のごとき構成からなるので、前記の実施形態１にかかるディスペンサ１および容器１００と同様もしくはほぼ同様の作用効果を達成することができる。
【００４３】
なお、この実施形態２にかかるディスペンサ１Ａおよび容器１００Ａにおいて、第２供給口３２の内径は、約０．５ｍｍであり、供給管４の内径は、約３ｍｍであり、前記の実施形態１の第２供給口３２の内径、供給管４の内径と比較して小さい。そのため、実施形態２にかかるディスペンサ１Ａおよび容器１００Ａでは、特に容器１００Ａが正立状態の時において、空気１０９の混合室３０への供給量に比べて液状内容物１０５の混合室３０への供給量を少なくすることができ、これにより、良好な泡１０８を吐出部５から吐出させることができる。
【００４４】
（実施形態３の説明）
図９〜図１３は、この発明にかかるディスペンサおよび容器の実施形態３を示す。以下、この実施形態３にかかるディスペンサ１Ｂおよび容器１００Ｂについて説明する。図中、図１〜図８と同符号は、同一のものを示す。
【００４５】
（実施形態３の構成の説明）
前記の実施形態１、２にかかるディスペンサ１、１Ａおよび容器１００、１００Ａは、混合部３が１つであり、供給管４が１本であり、吐出部５が固定式である。これに対して、この実施形態３にかかるディスペンサ１Ｂおよび容器１００Ｂは、混合部が第１混合部３１０と第２混合部３２０との２つであり、供給管が第１供給管４１と第２供給管４２との２本であり、吐出部５Ｂが取付部９により図９、図１０に示す第１位置と図１１、図１２に示す第２位置との間において切替可能式である。
【００４６】
樹脂部材から構成されるディスペンサ本体１０Ｂは、容器本体１０１の開口部１０２の開口を覆う円形の蓋形状をなす。ディスペンサ本体１０Ｂの外周縁には、取付部２が一体に設けられている。ディスペンサ本体１０Ｂには、空気取入部６、第１混合部３１０および第２混合部３２０が設けられている。
【００４７】
第１混合部３１０は、第１供給口３１１と第２供給口３１２と混合室３１３と流出路３１４とを有する。第１混合部３１０は、筒部３１５と、取付筒部３１６と、当接筒部３１７と、から構成されている。筒部３１５は、ディスペンサ本体１０Ｂの両面（図９〜図１２において、上下両面）に一体に設けられている。筒部３１５の一端（図９、図１０において、下端）には、取付筒部３１６が固定されている。筒部３１５の他端（図９、図１０において、上端）には、当接筒部３１７が固定されている。筒部３１５の一端と取付筒部３１６との間には、混合室３１３が設けられている。取付筒部３１６には、第１供給口３１１と第２供給口３１２とが混合室３１３に連通するように設けられている。筒部３１５の他端と当接筒部３１７とには、流出路３１４が混合室３１３に連通するように設けられている。第２混合部３２０は、第１混合部３１０と同様に、第１供給口３２１と第２供給口３２２と混合室３２３と流出路３２４とを有し、筒部３２５と、取付筒部３２６と、当接筒部３２７と、から構成されている。
【００４８】
第１供給管４１の一端（図９、図１０において、上端）は、第１混合部３１０の第１供給口３１１中に嵌合して第１混合部３１０に取り付けられ、第１混合部３１０の第１供給口３１１に連通する。第１供給管４１の他端（図９において、下端）は、取付部２が開口部１０２に取り付けられると、すなわち、ディスペンサ１Ｂが容器本体１０１に取り付けられると、容器本体１０１の底部１０３側に位置する。第２供給管４２は、第１供給管４１と同様に、一端（図９、図１０において、上端）が第２混合部３２０に取り付けられて第１供給口３２１に連通し、他端が容器本体１０１の底部１０３側に位置する。第２供給管４２の他端（図９において、下端）には、第２逆止弁８２がホルダ８３を介して取り付けられている。第１供給管４１の内径は、第２供給管４２の内径よりも小さい。
【００４９】
吐出部５Ｂは、中空の円筒形状の回転部５３と、吐出路５０を有する中空の円筒形状の発泡部５４と、から一体に構成されている。回転部５３と発泡部５４とは、連通する。回転部５３には、回転軸５５が一体に設けられている。回転部５３の発泡部５４と反対側の箇所には、連通口５６が設けられている。発泡部５４中には、メッシュフィルタなどの発泡部材５１がホルダ５２により取り付けられている。取付部９は、２枚の立壁（図９〜図１２においては、１枚の立壁を図示）からなり、ディスペンサ本体１０Ｂに一体に設けられている。取付部９には、円形の凹部の軸受部９０が設けられている。取付部９の軸受部９０には、吐出部５Ｂの回転軸が、第１位置と第２位置との間において回転切替可能に取り付けられている。吐出部５Ｂの回転部５３は、第１混合部３１０の当接筒部３１７および第２混合部３２０の当接筒部３２７に回転可能に当接する。
【００５０】
回転側の吐出部５Ｂと固定側のディスペンサ本体１０Ｂ（当接筒部３１７、３２７、取付部９）には、図示しない位置決め部（ストッパ部）が設けられている。位置決め部は、吐出部５Ｂを第１位置と第２位置とに位置決めする。吐出部５Ｂが第１位置に位置する時には、図９、図１０に示すように、吐出部５Ｂの連通口５６と第１混合部３１０の流出路３１４とが連通し、吐出部５Ｂの連通口５６と第２混合部３２０の流出路３２４とが遮断されている。吐出部５Ｂが第２位置に位置する時には、図１１、図１２に示すように、吐出部５Ｂの連通口５６と第２混合部３２０の流出路３２４とが連通し、吐出部５Ｂの連通口５６と第１混合部３１０の流出路３１４とが遮断されている。
【００５１】
ディスペンサ本体１０Ｂの外周縁のうち取付部２に対して反対側には、カバー９１が取り付けられている。カバー９１は、半球形状（ドーム形状）をなしているが、そのカバー９１を所定長さだけ切り欠くように、そのカバー９１にはスリット９２が設けられている。スリット９２には、吐出部５Ｂの発泡部５４が第１位置と第２位置との間を移動可能（回転可能）に挿入されている。なお、カバー９１は、必ずしもディスペンサ本体１０Ｂに取り付ける必要がない。
【００５２】
この実施形態３にかかるディスペンサ１Ｂおよび容器１００Ｂは、以上のごとき構成からなり、以下、その作用について説明する。
【００５３】
まず、容器１００Ｂが図９、図１０に示す正立状態において使用する時は、吐出部５Ｂを第１位置に位置させる。正立状態の容器１００Ｂの容器本体１０１を適宜な力でスクイズすると、容器本体１０１の底部１０３側に位置する液状内容物１０５が図９、図１０、図１３中の実線矢印に示すように第１供給管４１を通って第１混合部３１０の混合室３１３に供給され、かつ、容器本体１０１の開口部１０２側に位置する空気１０９が図９、図１０中の実線矢印に示すように第１混合部３１０の第２供給口３１２を通って第１混合部３１０の混合室３１３に供給される。混合室３１３に供給された空気１０９と液状内容物１０５とは、混合室３１３で混合されて、発泡して泡１０８となる。この泡１０８は、流出路３１４、連通口５６を通って吐出部５Ｂに供給されて、図９、図１０中の実線矢印に示すように、吐出路５０から容器１００Ｂの外部に吐出する。
【００５４】
なお、正立状態の容器本体１０１のスクイズ時においては、第２混合部３２０の流出路３２４と吐出部５Ｂの連通口５６とは連通していなく、図９、図１０に示すように遮断されている。このように、流出路３２４から連通口５６に混合物（泡）が向かわないので、流出路３２４の内部が負圧とならず、したがって容器本体１０１の底部１０３側に位置する液状内容物１０５が、第２逆止弁８２、第２供給管４２を介して第２混合部３２０の混合室３２３には供給されず、また容器本体１０１の開口部１０２側に位置する空気１０９が第２混合部３２０の第２供給口３２２を通って混合室３２３に供給されない。
【００５５】
次に、容器１００Ｂが図１１、図１２に示す倒立状態において使用する時は、吐出部５Ｂを第２位置に位置させる。倒立状態の容器１００Ｂの容器本体１０１を適宜な力でスクイズすると、容器本体１０１の開口部１０２側に位置する液状内容物１０５が図１１、図１２中の実線矢印に示すように第２混合部３２０の第２供給口３２２を通って混合室３２３に供給され、かつ、容器本体１０１の底部１０３側に位置する空気１０９が図１１〜図１３中の実線矢印に示すように第２逆止弁８２および第２供給管４２を通って第２混合部３２０の混合室３２３に供給される。混合室３２３に供給された空気１０９と液状内容物１０５とは、混合室３２３で混合されて、発泡して泡１０８となる。この泡１０８は、流出路３２４、連通口５６を通って吐出部５Ｂに供給されて、図１１、図１２中の実線矢印に示すように、吐出路５０から容器１００Ｂの外部に吐出する。
【００５６】
なお、倒立状態の容器本体１０１のスクイズ時においては、第１混合部３１０の流出路３１４と吐出部５Ｂの連通口５６とは連通していなく、図１１、図１２に示すように遮断されている。このように、流出路３１４から連通口５６に混合物（泡）が向かわないので、流出路３１４の内部が負圧とならず、したがって容器本体１０１の開口部１０２側に位置する液状内容物１０５が、第１混合部３１０の第２供給口３１２を通って混合室３１３に供給されず、また容器本体１０１の底部１０３側に位置する空気１０９が第１供給管４１を介して第１混合部３１０の混合室３１３に供給されない。
【００５７】
正立状態もしくは倒立状態の容器本体１０１へのスクイズを止めると、弾性変形していた容器本体１０１が弾性復帰して、それに伴って、容器１００の外部の空気が図１３中の実線矢印に示すように空気取入部６、空気取入管７および第１逆止弁８１を通って容器１００Ｂ中に取り入れられる。これにより、続けて正立状態もしくは倒立状態の容器本体１０１を適宜な力でスクイズすると、吐出部５Ｂから泡１０８を吐出させることができる。
【００５８】
（実施形態３の効果の説明）
この実施形態３にかかるディスペンサ１Ｂおよび容器１００Ｂは、以上のごとき構成および作用からなり、以下、その効果について説明する。
【００５９】
この実施形態３にかかるディスペンサ１Ｂおよび容器１００Ｂは、前記の実施形態１、２にかかるディスペンサ１、１Ａおよび容器１００、１００Ａとほぼ同様の作用効果を達成することができる。特に、この実施形態３にかかるディスペンサ１Ｂおよび容器１００Ｂは、第１混合部３１０と第２混合部３２０の２つの混合部が設けられており、第１供給管４１と第２供給管４２の２本の供給管が設けられている。また、吐出部５Ｂが取付部９によって第１位置と第２位置との間において切替可能式である。このため、実施形態３にかかるディスペンサ１Ｂおよび容器１００Ｂは、容器１００Ｂが正立状態の時、吐出部５Ｂを第１位置に位置させて容器本体１０１をスクイズするだけで、空気１０９と液状内容物１０５とが第１混合部３１０および第１供給管４１を経て混合される。したがって、吐出部５Ｂから泡１０８を確実に吐出させることができる。また、容器１００Ｂが倒立状態の時、吐出部５Ｂを第２位置に位置させて容器本体１０１をスクイズするだけで、空気１０９と液状内容物１０５とが第２混合部３２０および第２供給管４２を経て混合される。したがって、吐出部５Ｂから泡１０８を確実に吐出させることができる。
【００６０】
この実施形態３にかかるディスペンサ１Ｂおよび容器１００Ｂは、容器１００Ｂが正立状態で吐出部５Ｂが第１位置に位置する時に液状内容物１０５が供給される第１供給管４１の内径が、容器１００Ｂが倒立状態で吐出部５Ｂが第２位置に位置する時に空気１０９が供給される第２供給管４２の内径よりも小さい。このため、この実施形態３にかかるディスペンサ１Ｂおよび容器１００Ｂは、容器１００Ｂが正立状態で吐出部５Ｂが第１位置に位置する時の第１混合部３１０の混合室３１３における空気１０９と液状内容物１０５との混合比、および、容器１００Ｂが倒立状態で吐出部５Ｂが第２位置に位置する時の第２混合部３２０の混合室３２３における空気１０９と液状内容物１０５との混合比を、最適な混合比（たとえば、空気１０９と液状内容物１０５との混合比が約４：１）とすることができ、泡立ちが良い泡１０８が得られる。
【００６１】
（実施形態１、２、３以外の発明の説明）
なお、この発明は、前記の実施形態１、２、３により限定されるものではない。たとえば、第２供給口３２、３１２、３２２の内径および供給管４、第１供給管４１、第２供給管４２の内径は、前記の前記の実施形態１、２、３に限定されない。すなわち、使用する液状内容物１０５の成分により、混合室３０での空気１０９と液状内容物１０５との混合比を調整して泡立ちが良い泡１０８を得るために、第２供給口３２、３１２、３２２の内径および供給管４、第１供給管４１、第２供給管４２の内径を調整する。また、供給管４、第１供給管４１、第２供給管４２および空気取入管７は、前記の実施形態１、２、３ではフレキシブル管を使用するが、フレキシブル管以外の管でも良い。すなわち、空気１０９や形状内容物１０５などの流体を通すものであれば、管以外のものであっても良い。さらに、空気１０９と液状内容物１０５との混合比は、「約４：１」以外の混合比であっても良い。
【符号の説明】
【００６２】
１、１Ａ、１Ｂ…ディスペンサ（スクイズ式泡ディスペンサ）、１０、１０Ｂ…ディスペンサ本体、２…取付部、３…混合部、３０…混合室、３１…第１供給口、３２…第２供給口、３１０…第１混合部、３１１…第１供給口、３１２…第２供給口、３１３…混合室、３１４…流出路、３１５…筒部、３１６…取付筒部、３１７…当接筒部、３２０…第２混合部、３２１…第１供給口、３２２…第２供給口、３２３…混合室、３２４…流出路、３２５…筒部、３２６…取付筒部、３２７…当接筒部、４…供給管、４１…第１供給管、４２…第２供給管、５、５Ｂ…吐出部、５０…吐出路、５１…発泡部材、５２…ホルダ、５３…回転部、５４…発泡部、５５…回転軸、５６…連通口、６…空気取入部、６０…空気取入口、７…空気取入管、８１…第１逆止弁、８２…第２逆止弁、８１０、８２０…一端円筒部、８１１、８２１…他端扁平部、８３…ホルダ、９…取付部、９０…軸受、９１…カバー、９２…スリット、１００、１００Ａ、１００Ｂ…容器（スクイズ式泡ディスペンサを備えた容器）、１０１…容器本体、１０２…開口部、１０３…胴部、１０５…液状内容物、１０６…シール、１０７…雄ねじ、１０８…泡、１０９…空気。
【図１】
2018052527.tif 000003
【図２】
2018052527.tif 000004
【図３】
2018052527.tif 000005
【図４】
2018052527.tif 000006
【図５】
2018052527.tif 000007
【図６】
2018052527.tif 000008
【図７】
2018052527.tif 000009
【図８】
2018052527.tif 000010
【図９】
2018052527.tif 000011
【図１０】
2018052527.tif 000012
【図１１】
2018052527.tif 000013
【図１２】
2018052527.tif 000014
【図１３】
2018052527.tif 000015